(57)【要約】【課題】１台のスタンドで異なったサイズのディスプレイパネルに適用可能とするとともに、ディスプレイパネルの装着作業を容易に行うことができるプラズマディスプレイパネル用スタンドを提供することを目的とする。【解決手段】フラット型のディスプレイパネルを装着するためのディスプレイパネル用スタンドにおいて、左右に離間して設けられディスプレイパネルを装着する２個の脚部１、２と、２個の脚部１、２を水平に貫通する棒状の連結部材３とから構成され、連結部材３に開けられた複数の貫通穴５のうち任意の２個所にネジ４を通し、脚部１、２に設けられた雌ネジ６にねじ込んで連結部材３と左右の脚部１、２とを結合し、ネジ４を通す貫通穴５の位置を変えることによって脚部１、２の左右幅を可変して異なるサイズのディスプレイパネルを装着可能とした。【選択図】　　　図１
2004118085.tif 000002
【特許請求の範囲】
【請求項１】
フラット型のディスプレイパネルを装着するためのディスプレイパネル用スタンドにおいて、左右に離間して設けられディスプレイパネルを装着する２個の脚部と、この２個の脚部を水平に貫通する棒状連結部材とから構成され、連結部材に開けられた複数の貫通穴のうち任意の２個所にネジを通し、脚部に設けられた雌ネジにねじ込んで連結部材と左右の脚部とを結合し、ネジを通す貫通穴位置を変えることによって脚部の左右幅を可変して異なるサイズのディスプレイパネルを装着可能としたことを特徴とするディスプレイパネル用スタンド。
【請求項２】
前記連結部材に開けられた複数の貫通穴は、連結部材の左右両側に同数ずつ配置され、脚部が最も外側の貫通穴に結合されたときの左右幅を最大とし、最も内側の貫通穴に結合されたときの左右幅を最小としてこの間の左右幅を任意に設定可能としたことを特徴とする請求項１記載のディスプレイパネル用スタンド。
【請求項３】
前記脚部に複数の雌ネジを設け、連結部材には左右に１個ずつネジの通る貫通穴を設け、雌ネジ位置を変えて連結部材を締結し、脚部の左右幅を可変としたことを特徴とする請求項１記載のディスプレイパネル用スタンド。
【請求項４】
前記脚部に複数の雌ネジを設け、連結部材には複数の貫通穴を設け、ネジによる締結位置を任意に設定することによって複数の左右幅を設定可能としたことを特徴とする請求項１記載のディスプレイパネル用スタンド。
【請求項５】
前記脚部に複数の雌ネジを設け、連結部材には左右に１個ずつ長穴を設け、ネジによる締結位置を任意に設定することによって複数の左右幅を設定可能としたことを特徴とする請求項１記載のディスプレイパネル用スタンド。
【請求項６】
フラット型のディスプレイパネルを装着するためのディスプレイパネル用スタンドにおいて、左右に離間して設けられディスプレイパネルを装着する２個の脚部と、この２個の脚部を水平に貫通する棒状連結部材とから構成され、ネジで固定部材を介して連結部材を脚部に押し付け、脚部と固定部材との間に連結部材を挟みこんで固定し、固定位置を任意とすることによって脚部の左右幅を可変して異なるサイズのディスプレイパネルを装着可能としたことを特徴とするディスプレイパネル用スタンド。
【請求項７】
前記脚部には固定部材をネジ止めする雌ネジが複数設けられ、連結部材を任意の位置で脚部に押しつけて固定することを特徴とする請求項６記載のディスプレイパネル用スタンド。
【請求項８】
前記固定部材を弾性材で構成し、摩擦力によって連結部材を押さえ付けることによって脚部を任意の位置にスライド可能としたことを特徴とする請求項６記載のディスプレイパネル用スタンド。
【請求項９】
前記連結部材は、ネジを通す貫通穴が設けられていないことを特徴とする請求項６記載のディスプレイパネル用スタンド。
【発明の詳細な説明】
【０００１】
【発明の属する技術分野】
本発明は、液晶ディスプレイパネル又はプラズマディスプレイパネルなどのフラット型のディスプレイパネルを装架支持するためのディスプレイパネル用スタンドに関する。
【０００２】
【従来の技術】
従来のディスプレイパネル用スタンドの構造は、大別すると２種類に分かれる。一つは図５の正面図に示すように、左右一体型スタンドと呼ばれるもので、ベース８上の左右にそれぞれポスト９を設置してネジ止めし、この両ポストにディスプレイパネルを装着するようにしたものである（例えば、特許文献１参照。）。また、もう一つは、図６の正面図に示すように、左右分離型スタンドと呼ばれるもので、２個の脚部１０、１１を使用し、ディスプレイパネル１２の穴位置に合わせてこの脚部１０、１１を位置決め配置し、その上にディスプレイパネル１２を装着するようにしたものである。
【０００３】
【特許文献１】
特開平０７−０５６５１６号公報（図１）
【０００４】
【発明が解決しようとする課題】
まず、図５に示したような従来の左右一体型スタンドの場合は、安定性やデザイン性を確保するために、それぞれディスプレイパネルのサイズに合わせたスタンドを複数用意する必要があった。また、逆に１台のスタンドで、複数の異なったサイズのディスプレイパネルに対応しようとすると、安全性を確保するためにスタンドの寸法を最も大きなディスプレイパネルに合わせる必要があり、デザイン性が犠牲になるという問題があった。一方、図６に示したような従来の左右分離型スタンドの場合は、ディスプレイパネル１２をスタンドに装着するときに左右の脚部１０、１１の基準となる位置決め手段が無いため、作業者がその都度位置を合わせながら装着しなければならず、装着作業がわずらわしいものとなっていた。
【０００５】
本発明は、上記の問題点を解決するためになされたもので、１台のスタンドで、安全性及びデザイン性を損なうことなく異なったサイズのディスプレイパネルに適用可能であるとともに、左右の脚部の位置を固定することによって、ディスプレイパネルを装着する時の作業を容易に行うことができるプラズマディスプレイパネル用スタンドを提供することを目的とする。
【０００６】
【課題を解決するための手段】
本発明は、フラット型のディスプレイパネルを装着するためのディスプレイパネル用スタンドにおいて、左右に離間して設けられディスプレイパネルを装着する２個の脚部と、この２個の脚部を水平に貫通する棒状連結部材とから構成され、連結部材に開けられた複数の貫通穴のうち任意の２個所にネジを通し、脚部に設けられた雌ネジにねじ込んで連結部材と左右の脚部とを結合し、ネジを通す貫通穴位置を変えることによって脚部の左右幅を可変して異なるサイズのディスプレイパネルを装着可能としたものである。
【０００７】
また、本発明において、前記連結部材に開けられた複数の貫通穴は、連結部材の左右両側に同数ずつ配置され、脚部が最も外側の貫通穴に結合されたときの左右幅を最大とし、最も内側の貫通穴に結合されたときの左右幅を最小としてこの間の左右幅を任意に設定可能としたものであり、また、本発明は、前記脚部に複数の雌ネジを設け、連結部材には左右に１個ずつネジの通る貫通穴を設け、雌ネジ位置を変えて連結部材を締結し、脚部の左右幅を可変としたものであり、また、本発明は、前記脚部に複数の雌ネジを設け、連結部材には複数の貫通穴を設け、ネジによる締結位置を任意に設定することによって複数の左右幅を設定可能としたものであり、さらに、本発明は、前記脚部に複数の雌ネジを設け、連結部材には左右に１個ずつ長穴を設け、ネジによる締結位置を任意に設定することによって複数の左右幅を設定可能としたものである。
【０００８】
また、本発明は、フラット型のディスプレイパネルを装着するためのディスプレイパネル用スタンドにおいて、左右に離間して設けられディスプレイパネルを装着する２個の脚部と、この２個の脚部を水平に貫通する棒状連結部材とから構成され、ネジで固定部材を介して連結部材を脚部に押し付け、脚部と固定部材との間に連結部材を挟みこんで固定し、固定位置を任意とすることによって脚部の左右幅を可変して異なるサイズのディスプレイパネルを装着可能としたものである。
【０００９】
また、本発明は、前記脚部には固定部材をネジ止めする雌ネジが複数設けられ、連結部材を任意の位置で脚部に押しつけて固定するようにしたものであり、また、本発明は、前記固定部材を弾性材で構成し、摩擦力によって連結部材を押さえ付けることによって脚部を任意の位置にスライド可能としたものであり、さらに、本発明において、前記連結部材は、ネジを通す貫通穴が設けられていないものを使用している。
【００１０】
【発明の実施の形態】
次に、本発明の実施の形態について図面を参照して説明する。図１は、第１の実施の形態を示す構成図で、図１（ａ）は正面断面図、図１（ｂ）は底面図である。図１に示すように本発明のディスプレイパネル用スタンド（以下、単にスタンドと言う）は、２個の脚部１、２と、この両脚部を接続する棒状の連結部材３とで構成され、脚部１、２は連結部材３にそれぞれネジ４で固定されるようになっている。
【００１１】
脚部１、２は断面が楕円形状の円錐台構造であり、下半分は空洞となって底面は開口となっている。そして、脚部１、２の側面には、連結部材３が貫通する穴が水平方向に開けられている。連結部材３は丸棒でも角棒でもよく、脚部側面の貫通穴もこの棒材の断面形状に合わせて設ければよい。この連結部材３には、左右両側に任意の間隔で複数個の貫通穴５が開けられており、この貫通穴５にネジ４を通すことによって脚部１、２に設けられている雌ネジ６にねじ込み、このネジ位置を結合部分として脚部１、２と連結部材３とを一体に結合するようになっている。図１では、１例として雌ネジ６が脚部１、２のそれぞれに２個ずつ設けられ、貫通穴５が連結部材３の左右にそれぞれ３個ずつ設けられている。
【００１２】
このように構成された本発明のスタンドにおいては、複数の結合可能な部分が設けてあるため、ネジ穴位置をずらして結合部分の位置を変えることによって脚部の左右幅を変えることが可能となったことが大きな特徴である。すなわち、図１のように、連結部材３に貫通穴５が左右に３個ずつ開けられ、また、雌ネジ６が２箇所に設けられている場合は、両脚部の左右幅を４段階に調整することが可能なスタンドとなる。そして、左右幅位置の調整と同時に、脚部の位置決めも行われる。
【００１３】
図２は脚部と連結部材の結合状態を説明する斜視図で、脚部１には雌ネジ６が２個所（６ａ、６ｂ）設けられ、連結部材３には左右１個所ずつ貫通穴（５ａ、５ｂ）が開けられた場合を示している。すなわち、雌ネジ６ｂと貫通穴５ａをネジ４で締結すると、左右幅の広いスタンドを構成することが可能であり、雌ネジ６ａと貫通穴５ａをネジ４で締結すると、左右幅の狭いスタンドを構成することが可能となる。
【００１４】
図３（ａ）、（ｂ）は、図１で説明したのと同様な構成であり、連結部材３の左右両端の貫通穴５ｃを利用して脚部１、２をネジ４で締結し、左右幅が最大となった状態のスタンドを示している。なお、図示した以外に、雌ネジ及び貫通穴の数を複数個とすることによって、さらに細かく複数段階に左右幅を設定できることはもちろんである。なお、図示していないが、連結部材に開けた複数の貫通穴に代わって左右両側にそれぞれ１個の長穴を設けてもよく、この長穴によって複数の貫通穴を設けたのと同等の効果を得ることができる。
【００１５】
次に、図４を用いて本発明における第２の実施の形態について説明する。図４は脚部と連結部材の結合を説明する斜視図である。図４に示すように、脚部１には４個所に雌ネジ６ｃが設けられ、連結部材３を脚部１に固定する際には、ネジ４で固定部材７を介して連結部材３を脚部１に押し付け、脚部１と固定部材７との間に連結部材３を挟みこんで固定する。この連結部材３には、ネジ止めは必要ないことから貫通穴は設けられていない。こうしたことによって、脚部を任意の位置に固定するすることができ、スタンドを任意の左右幅に調整することが可能となる。また、固定部材７を弾性材で構成し、摩擦力によって押さえ付けるようにしておけば、脚部を任意の位置にスライドさせることも可能である。
【００１６】
【発明の効果】
以上述べてきたように、本発明を採用することによって、一つのスタンドで異なるサイズのディスプレイパネルに対応できるようになったため、一番大きなディスプレイパネルに合わせたスタンドを使用しなくても十分に安全性を確保することができ、同時にディスプレイパネルのサイズに適したデザイン性を満足することができる。
【００１７】
また、左右分離型のスタンドにおいても、連結部材を設けたことによって任意の左右幅で脚部の固定、位置決めが可能となり、ディスプレイパネルを装着する際の装着作業が容易となって作業効率の向上を図ることができる。
【図面の簡単な説明】
【図１】本発明における第１の実施の形態を示す構成図で、図（ａ）は正面断面図、図（ｂ）は底面図である。
【図２】第１の実施の形態を説明する斜視図である。
【図３】第１の実施の形態を説明する図で、図（ａ）は正面断面図、図（ｂ）は底面図である。
【図４】本発明における第２の実施の形態を説明する図で、固定部分を示す斜視図である。
【図５】従来の左右一体型スタンドを示す正面図である。
【図６】従来の左右分離型スタンドを示す正面図である。
【符号の説明】
１、２　　脚部
３　　連結部材
４　　ネジ
５　　貫通穴
６　　雌ネジ
７　　固定部材
８　　ベース
９　　ポスト
１０、１１　　脚部
１２　　ディスプレイパネル
【図１】
2004118085.tif 000003
【図２】
2004118085.tif 000004
【図３】
2004118085.tif 000005
【図４】
2004118085.tif 000006
【図５】
2004118085.tif 000007
【図６】
2004118085.tif 000008